(57)【要約】【課題】換気設備における室内の換気口と室内空気を建築物の外部に排気する排気口との間で、且つ室内壁に設けた点検口から保守点検作業が可能な位置の排気ダクトにストレーナーを着脱自在に装設することにより、ストレーナーの清掃作業を居住者自身が室内から容易に行えるようにして、ストレーナーに虫や塵埃等の異物が付着して目詰まりすることによる室内の換気不良を解消する。【解決手段】排気ダクトＤに接続する接続部４，５、接続部４，５間に配設されるストレーナー収容部６を備える。ストレーナー収容部６に建築物の外部から異物が侵入するのを抑止するストレーナー８を着脱自在に装設する。中間ストレーナー装置２を排気ダクトＤにおける室内壁Ｃの点検口Ｗから保守点検作業が可能な位置に配設する。【選択図】図１
2008170102.tif 000002
【特許請求の範囲】
【請求項１】
建築物の換気設備における室内の換気口と室内空気を建築物の外部に排気する排気口との間の排気ダクトに配設する中間ストレーナー装置であって、
上記排気ダクトの１次側及び２次側に接続するための接続部、並びにそれらの接続部間に配設されるストレーナー収容部を備え、該ストレーナー収容部に建築物の外部から異物が侵入するのを抑止するストレーナーを着脱自在に装設し、
当該中間ストレーナー装置を、上記排気ダクトにおける室内壁に設けた点検口から保守点検作業が可能な位置に配設した、
ことを特徴とする建築物の換気設備における中間ストレーナー装置。
【請求項２】
上記ストレーナー収容部を、略箱状の収容部本体と、該収容部本体の内周面に周設されたストレーナーの支持部材とを有するものとして、上記収容部本体における外周面の一部に、上記ストレーナーの着脱のための開口部を形成するとともに、上記ストレーナーを、網目状部材にそれを上記ストレーナー収容部に着脱するための把持部を付設することにより構成し、
上記ストレーナーを、少なくとも上記収容部本体の開口部に対応する大きさを有するパッキンを介して、上記ストレーナー収容部に着脱自在に装設した、
ことを特徴とする請求項１に記載の建築物の換気設備における中間ストレーナー装置。
【請求項３】
上記ストレーナー収容部を、上記両接続部間に介装されるダクト状部材で構成した収容部本体を有するものとして、該収容部本体における外周面の一部に、上記ストレーナーの着脱及び排気ダクトの保守点検作業のための開閉自在の開口部を設けるとともに、網目状部材を備えた上記ストレーナーを、上記収容部本体における１次側及び２次側の開口の少なくとも一方に着脱自在に装設した、
ことを特徴とする請求項１に記載の建築物の換気設備における中間ストレーナー装置。
【請求項４】
上記ストレーナーにおける網目状部材の表面積を、その表面に形設した少なくとも１つの凸部により増大させた、
ことを特徴とする請求項３に記載の建築物の換気設備における中間ストレーナー装置。
【請求項５】
上記ストレーナーにおける網目状部材を錐状とすることにより、その表面積を増大させた、
ことを特徴とする請求項４に記載の建築物の換気設備における中間ストレーナー装置。
【請求項６】
上記ストレーナー収容部の支持部材を、上記ストレーナーの揺れ止め及び該ストレーナーで捕捉した水分の水漏れ防止のためのパッキンで構成した、
ことを特徴とする請求項２に記載の建築物の換気設備における中間ストレーナー装置。
【請求項７】
上記両接続部に負圧作動弁を接続するための接続継手を設けて、２次側の排気ダクトにいずれの接続部が接続された場合でも負圧作動弁を接続可能とした、
ことを特徴とする請求項１乃至６のいずれかに記載の建築物の換気設備における中間ストレーナー装置。
【請求項８】
上記両接続部の少なくとも一方を、伸縮自在の継手手段で排気ダクトに連結した、
ことを特徴とする請求項１乃至７のいずれかに記載の建築物の換気設備における中間ストレーナー装置。
【発明の詳細な説明】
【技術分野】
【０００１】
本発明は、建築物の換気設備における室内の換気口と室内空気を建築物の外部に排気する排気口との間の排気ダクトに配設する中間ストレーナー装置に関するものである。
【背景技術】
【０００２】
建築物の換気設備においては、浴室や洗面所、あるいは台所等の室内空気を建築物の外部に排気するため、各室から延びる排気ダクトを介して各室の空気を一括してあるいは個別に排気する排気口を建築物外壁に設け、該排気口には、排気ダクト内への雨水の侵入、あるいは虫や塵埃等の異物の侵入を抑止するステンレス等からなるメッシュ（防虫網）を備えたレジスターフードが設置されるのが一般的である。
しかしながら、上記レジスターフードは、そのメッシュに経年の使用により虫や塵埃等の異物が付着してメッシュ自体が殆ど塞がれた状態となってしまうことが少なくないため、機械換気等の換気手段で排気を行っても、このメッシュに付着した異物で空気の流れが遮断されて、室内空気を建築物の外部に排気することができず、室内に浴室や洗面所の湿気や臭い、あるいは台所で料理をした際の煙等が滞溜するため、室内のカーテンや壁紙等に臭いや汚れが沈着したり、あるいは湿気で室内に結露が発生し、その結果カビの発生の原因となってしまう等の問題点が指摘されている。
しかも、上記レジスターフードは、一般的に建築物外壁に設置されるため、外気温の影響を直接受けやすく、特に寒冷地においては、室内で暖められた湿気を含んだ空気が、レジスターフードのメッシュに付着した異物によって遮断され、そこでその湿気を含んだ空気が冷やされて結露が発生し、その結果、排気ダクト内に結露水を滞溜させ、延いては自室への水漏れ、さらに集合住宅では階下への水漏れが発生する大きな要因の１つとなっている。
【０００３】
上述のような問題点は、上記レジスターフードのメッシュに付着した異物等を定期的に除去することで解決できるが、レジスターフード自体の形状によっては清掃が困難であったり、それが建築物外壁の高所など、手の届きにくい場所に設置されている場合が殆どであり、居住者自身が上記レジスターフードの保守点検作業を行うのは極めて困難且つ危険である。
【発明の開示】
【発明が解決しようとする課題】
【０００４】
本発明の基本的な技術的課題は、上述したレジスターフードによる換気の不具合を解消することにある。
本発明の技術的な課題は、更に具体的には、換気設備における室内の換気口と室内空気を建築物の外部に排気する排気口との間で、且つ室内壁に設けた点検口から保守点検作業が可能な位置の排気ダクトにストレーナーを着脱自在に装設することにより、上記ストレーナーの清掃作業を居住者自身が上記点検口を通じて室内から容易に行うことができるようにして、ストレーナーに虫や塵埃等の異物が付着して目詰まりすることによる室内の換気不良を解消することにある。
【課題を解決するための手段】
【０００５】
上記課題を解決するため、本発明は、建築物の換気設備における室内の換気口と室内空気を建築物の外部に排気する排気口との間の排気ダクトに配設する中間ストレーナー装置であって、上記排気ダクトの１次側及び２次側に接続するための接続部、並びにそれらの接続部間に配設されるストレーナー収容部を備え、該ストレーナー収容部に建築物の外部から異物が侵入するのを抑止するストレーナーを着脱自在に装設し、当該中間ストレーナー装置を、上記排気ダクトにおける室内壁に設けた点検口から保守点検作業が可能な位置に配設したことを特徴とするものである。
【０００６】
本発明の好ましい実施形態においては、上記ストレーナー収容部を、略箱状の収容部本体と、該収容部本体の内周面に周設されたストレーナーの支持部材とを有するものとして、上記収容部本体における外周面の一部に、上記ストレーナーの着脱のための開口部を形成するとともに、上記ストレーナーを、網目状部材にそれを上記ストレーナー収容部に着脱するための把持部を付設することにより構成し、上記ストレーナーを、少なくとも上記収容部本体の開口部に対応する大きさを有するパッキンを介して、上記ストレーナー収容部に着脱自在に装設した構成とすることができる。このような構成とすることにより、当該中間ストレーナー装置をコンパクトに構成することができるので、浴室や洗面所等の狭い天井裏のスペースを有効に活用して当該中間ストレーナー装置を設置することができる。
【０００７】
また、本発明の他の好ましい実施形態においては、上記ストレーナー収容部を、上記両接続部間に介装されるダクト状部材で構成した収容部本体を有するものとして、該収容部本体における外周面の一部に、上記ストレーナーの着脱及び排気ダクトの保守点検作業のための開閉自在の開口部を設けるとともに、網目状部材を備えた上記ストレーナーを、上記収容部本体における１次側及び２次側の開口の少なくとも一方に着脱自在に装設した構成とすることができる。このような構成とすることにより、上記ストレーナーの着脱及び排気ダクトの保守点検のための作業を上記開口部を通じて容易に行うことができる。この場合、上記ストレーナーにおける網目状部材の表面積を、その表面に形設した少なくとも１つの凸部により増大させることができ、具体的には、上記ストレーナーにおける網目状部材を錐状とすることにより、その表面積を増大させた構成とすることができる。
【０００８】
本発明の他の好ましい実施形態においては、上記ストレーナー収容部の支持部材を、上記ストレーナーの揺れ止め及び該ストレーナーで捕捉した水分の水漏れ防止のためのパッキンで構成することができる。
本発明の他の好ましい実施形態においては、上記両接続部に負圧作動弁を接続するための接続継手を設けて、２次側の排気ダクトにいずれの接続部が接続された場合でも負圧作動弁を接続することができ、また、上記両接続部の少なくとも一方を、伸縮自在の継手手段で排気ダクトに連結することにより、既存の建築物における排気ダクトに当該中間ストレーナー装置を容易に取り付けることができるうえに、保守点検時等において、必要に応じて当該中間ストレーナー装置を排気ダクトから容易に着脱することができる。
【発明の効果】
【０００９】
以上に詳述した本発明に係る建築物の換気設備における中間ストレーナー装置によれば、換気設備における室内の換気口と室内空気を建築物の外部に排気する排気口との間で、且つ室内壁に設けた点検口から保守点検作業が可能な位置の排気ダクトに中間ストレーナー装置を配設して、該中間ストレーナー装置のストレーナー収容部にストレーナーを着脱自在に装設することにより、上記ストレーナーの清掃作業を居住者自身が上記点検口を通じて室内から容易に行うことができるので、ストレーナーに虫や塵埃等の異物が付着して目詰まりすることによる室内の換気不良を解消することができ、延いては室内のカーテンや壁紙等に臭いや汚れが沈着することないうえに、結露が発生したりカビが発生したりするのを抑止することができ、しかも、室内空気の湿気によって排気ダクト内に結露水が滞留することによる水漏れの発生を抑止することができる。
【発明を実施するための最良の形態】
【００１０】
図１乃至図４は、本発明に係る換気設備における中間ストレーナー装置の第１実施例を示し、該中間ストレーナー装置２を、既設の換気設備における室内の換気口Ｅ１と室内空気を建築物外部に排気する排気口Ｅ２との間の既存の排気ダクトＤにおいて、室内壁Ｃに設けた点検口Ｗから保守点検のための作業が可能な位置に配設した場合について示している。
上記中間ストレーナー装置２は、概略的には、上記排気ダクトＤの１次側ダクトＤ１及び２次側ダクトＤ２に接続するためのステンレスまたはスチール等の金属製の接続部４，５をそれぞれ備えており、それらの接続部４，５間に、ステンレスまたはスチール等の金属製のストレーナー収容部６を設けて、該ストレーナー収容部６内に、ステンレス製の網目状部材からなるストレーナー８を着脱自在に装設することにより構成されている。このように当該中間ストレーナー装置２を簡易でコンパクトな構成とすることにより、浴室や洗面所等の狭い天井裏のスペースを有効に活用して当該中間ストレーナー装置２を排気ダクトＤに設置することができる。
【００１１】
上記１次側ダクトＤ１に接続するところの１次側接続部４は、１次側ダクトＤ１と略同径か、あるいは若干大径の主部４Ａと、該主部４Ａから１次側ダクトＤ１への接続端側に該ダクトＤ１より若干小径になるまで縮径したテーパー部４Ｂとを備えた差込ソケットとして構成されている。該１次側接続部４は、上記テーパー部４Ｂにより１次側ダクトＤ１よりも小径に形成された接続端を１次側ダクトＤ１に挿入し、それらの接続部分を耐熱性のテープあるいは接着剤等の固定手段で固定することにより、該１次側接続部４を１次側ダクトＤ１に対して接続するように構成している。
【００１２】
一方、上記２次ダクトＤ２に接続するところの上記２次側接続部５は、２次側ダクトと略同径の主部５Ａと、該主部５Ａよりも大径に形成され、該主部５Ａに対して２次側ダクトＤ２への接続方向に伸縮自在に連結された嵌合部５Ｂとを備えた管継手として構成されている。該２次側接続部５は、２次側ダクトＤ２よりも大径の嵌合部５Ｂを該２次側ダクトＤ２の外周面に嵌合し、該嵌合部５Ｂの２次側ダクトＤ２に対する接続位置を伸縮調整したうえで、それらの接続部分を耐熱性のテープや接着剤等で固定することにより、上記２次側接続部５を２次側ダクトＤ２に対して接続するように構成している。上記主部５Ａに対する嵌合部の伸縮は、嵌合部５Ｂを主部５Ａに対して密に嵌合する筒状にして主部５Ａに伸縮自在に嵌合したものであっても、あるいは嵌合部５Ｂと主部５Ａとを蛇腹状の伸縮部材を介して連結したものであってもよい。
【００１３】
なお、本実施例においては、１次側ダクトＤ１への接続部４をテーパー状の差込ソケットとして構成し、２次側ダクトＤ２への接続部５を伸縮自在の管継手で構成したが、それに限定されるものではなく、当該中間ストレーナー装置２を設置するためのスペースに余裕がある場合には、両接続部４，５を伸縮自在の管継手で構成することができる。また、該管継手による排気ダクトＤへの接続は、特に既存の排気ダクトＤに当該中間ストレーナー装置２を配設する場合に有効なものであるが、新築の建築物の排気ダクトＤに中間ストレーナー装置２を配設する場合には、両接続部４，５をテーパー状の差込ソケットとして構成することもできる。さらに、これらの各接続部４，５と排気ダクトＤとの接続部分を固定するための方法は、上述した耐熱性のテープや接着剤等によって固定するものに限定されず、例えば、当該中間ストレーナー装置２を排気ダクトＤに対して固定的に接続する場合には、それぞれの接続部４，５を排気ダクトＤにスポット溶接やレーザー溶接等の溶接手段によって固定することもできる。
【００１４】
上記ストレーナー収容部６は、図２及び図３に示すように、上記両接続部４，５の間に連結した略箱状の収容部本体６Ａと、該収容部本体６Ａにおける上記接続部４，５への接続面に沿う内周面に周設されたストレーナー８の支持部材６Ｂとを備えている。
上記収容部本体６Ａは、上記接続部４，５への接続面に沿う外周の一面に、上記ストレーナー８の着脱のための開口部６ａを形成しており、該開口部６ａの両側縁には、後述するストレーナー８の固定板８Ｄを蝶ボルト１０及びナット１２で固定するためのボルト穴６ｃを設けた鍔部６ｂがそれぞれ延設されている。
一方、上記支持部材６Ｂは、上記ストレーナー８の揺れ止め及び該ストレーナー８で捕捉した水分が室内あるいは階下に水漏れするのを防止するためのパッキンとして構成したもので、上記収容部本体６Ａの内部側に開口する支持溝６ｄを有する断面略凹字状に形成されており、該支持部材６Ｂは、上記収容部本体６Ａにおける開口部６ａを除く内周面に付設されている。
【００１５】
上記ストレーナー８は、図４に示すように、略矩形の平板状に形成されたステンレス製の網目状部材（メッシュ）８Ａの周囲を枠体８Ｂで保持させるとともに、その一辺を、当該ストレーナー８を上記ストレーナー収容部６から着脱するための把持部８Ｃを付設した固定板８Ｄに固定することにより構成されている。また、該固定板８Ｄの長手方向の両端部には、上記収容部本体６Ａの鍔部６ｂに設けたボルト穴６ｃに対応する部位に、当該ストレーナー８をストレーナー収容部６に蝶ボルト１０及びナット１２で固定するためのボルト穴８ａが設けられている。
而して、当該ストレーナー８は、図３に示すように、上記固定板８Ｄとストレーナー収容部６における収容部本体６Ａとの間にパッキン１４を介装した状態で、上記固定板８Ｄと収容部本体６Ａの鍔部６ｂとを蝶ボルト１０及びナット１２で緊締することにより、上記ストレーナー収容部６に装設される。
上記ストレーナー８の固定板８Ｄと収容部本体６Ａの鍔部６ｂとを固定するための手段は、上述した蝶ボルト１０とナット１２で緊締するものに限定されず、持ち手付きのねじ等、居住者が上記ストレーナー８の着脱を容易に行うことができる適宜の手段を採用することができる。
【００１６】
なお、図中の符号１６は、上記ストレーナー８が仮に目詰まりを起こした場合に、それを居住者に知らせるための負圧作動弁であり、特に２次側ダクトＤ２の排気口Ｅ２側に、室内の空気を強制的に室外に排出する排風機が設けられている場合に有効なものである。即ち、上記負圧作動弁１６は、当該中間ストレーナー装置２における２次側接続部５の外周面に接続継手５ａを介して付設されており、上記ストレーナー８が目詰まりして２次側ダクトＤ２内の排気が強制的に排出されることによって、該２次側ダクトＤ２内が減圧されたときに警報音を発するように構成したものである。
ここで、図２においては、１次側接続部４の外周にも負圧作動弁１６の接続継手４ａが設けられているが、これは当該中間ストレーナー装置２の接続に方向性を与えないためであり、即ち、いずれの接続部４，５が２次側ダクトＤ２に接続された場合であっても、その接続部４，５の接続継手４ａ，５ａに負圧作動弁１６を付設することができるように構成したものである。
【００１７】
上記中間ストレーナー装置２を既存の排気ダクトＤに配設する場合には、先ず、室内壁Ｃに設けた点検口Ｗから保守点検のための作業が可能な位置の排気ダクトＤを、該中間ストレーナー装置２を配設することが可能な長さだけ切断する。次いで、中間ストレーナー装置２の１次側接続部４を１次側ダクトＤ１に挿入するとともに、２次側接続部５における嵌合部５Ｂを２次側ダクトＤ２の外周面に嵌合させ、該嵌合部５Ｂの２次側ダクトＤ２に対する接続位置を伸縮調整したうえで、それらの接続部分を耐熱性のテープや接着剤等で固定することにより、上記１次側接続部４及び２次側接続部５を２次側ダクトＤ２に対して接続する。
なお、室内壁Ｃに設けられた既存の点検口Ｗからは当該中間ストレーナー装置２の設置及び保守点検のための作業を行うのが困難な場合には、それらの作業を行うスペースが確保できる場所の室内壁Ｃに新たに点検口Ｗを設けて、該点検口Ｗから中間ストレーナー装置２の設置及び保守点検のための作業を行うこともできる。
【００１８】
上記構成を有する換気設備における中間ストレーナー装置２は、ストレーナー８を支持することが可能な厚さのストレーナー収容部６に、１次側ダクトＤ１及び２次側ダクトＤ２に接続するための接続部４，５をそれぞれ設けた簡易でコンパクトな構成としているので、換気設備における室内の換気口Ｅ１と室内空気を建築物の外部に排気する排気口Ｅ２との間で、且つ室内壁Ｃに設けた点検口Ｗから保守点検のための作業が可能な位置の排気ダクトＤに、狭い天井裏のスペースを有効に活用して当該中間ストレーナー装置２を配設することができる。しかも、該中間ストレーナー装置２のストレーナー収容部６にストレーナー８を着脱自在に装設できるように構成することにより、上記ストレーナー８の清掃作業を居住者自身が上記点検口Ｗを通じて室内から容易に行うことができるので、上記ストレーナー８に虫や塵埃等の異物が付着して目詰まりすることによる室内の換気不良を解消することができ、延いては室内のカーテンや壁紙等に臭いや汚れが沈着したり、結露やカビが発生したりするのを確実に抑止することができる。さらに、ストレーナー８の通気性が確保されるので、室内空気の湿気によって排気ダクトＤ内に結露水が滞留することにより、室内あるいは階下へ水漏れが発生するのを確実に抑止することができる。
なお、特に当該中間ストレーナー装置２を新築の建築物における排気ダクトＤに配設する場合には、室内壁Ｃの点検口Ｗを直接ストレーナー収容部６の開口部６ａに連通させることにより、室内から直接ストレーナー８の着脱及び保守点検のための作業を容易に行うことができる。
【００１９】
図５及び図６は本発明の第２実施例を示している。
この中間ストレーナー装置２２は、ストレーナー収容部２６における収容部本体２６Ａを、排気ダクトＤの１次側及び２次側ダクトＤ１，Ｄ２に接続する両接続部４，５間に介装される略角柱状のダクト状部材で構成して、該収容部本体２６Ａにおける外周面の一面に、ストレーナー２８の着脱及び排気ダクトＤの保守点検作業のための開閉自在の扉２６Ｂを有する開口部２６ａを設けることより、該収容部本体２６Ａ内における１次側及び２次側の両開口にストレーナー２８，２８を着脱自在に装設することができるようにしたものである。
【００２０】
上記ストレーナー収容部２６における収容部本体２６Ａには、上記開口部２６ａの両側縁に、その長手方向の両端にボルト穴２６ｃを設けた鍔部２６ｂがそれぞれ延設されており、一方、上記扉２６Ｂの各角部には、上記鍔部２６ｂのボルト穴２６ｃに対応する部位にボルト穴２６ｄがそれぞれ設けられており、上記収容部本体２６Ａと扉２６Ｂとの間にパッキン３４を介装した状態で、上記収容部本体２６Ａの鍔部２６ｂと扉２６Ｂの各角部を蝶ボルト１０及びナット１２で緊締することにより、上記収容部本体２６Ａに対して扉２６Ｂを開閉自在としている。また、該扉２６Ｂには、該扉２６Ｂによる開口部２６ａの開閉操作のための把持部２６Ｃが付設されている。
【００２１】
上記ストレーナー２８は、ステンレス製の網目状部材２８Ａを円錐状（すり鉢状）に形成することにより、その表面積を増大させており、その尖頭部２８ａをそれぞれ１次側及び２次側接続部４，５側に突出させた状態で上記ストレーナー収容部２６に装設されている。なお、上記ストレーナー２８をストレーナー収容部２６に装設するに際しては、特に図示はしていないが、網目状部材２８Ａの周囲を保持する枠体を、上記ストレーナー収容部２６の開口に蝶ボルト等の当該ストレーナー２８の着脱のための作業が容易な手段により装設するのが望ましい。
【００２２】
上記構成を有する換気設備における排気ダクトの中間ストレーナー装置２２は、上記ストレーナー２８の着脱及び排気ダクトＤの保守点検のための作業を上記ストレーナー収容部２６の開口部２６ａを通じて容易に行うことができる。
なお、本実施例においては、上記ストレーナー２８を円錐状に形成することにより、その表面積を増大させているが、ストレーナーの表面積を増大させるための構成はこれに限定されるものではなく、任意の多角錐状等に形成してその表面積を増大させることができ、また、ストレーナーの表面に任意形状の多数の凸部を設けたり、多数の襞を設けることによりその表面積を増大させた構成とすることもできる。
【００２３】
また、特に当該中間ストレーナー装置２２を新築の建築物における排気ダクトＤに配設する場合には、室内壁Ｃの点検口Ｗを直接ストレーナー収容部２６の開口部２６ａに連通させるとともに、上記室内壁Ｃに扉２６Ｂを開閉自在に配設することにより、室内から直接ストレーナー２８の着脱及び排気ダクトＤの保守点検のための作業を容易に行うことができる。
【００２４】
ここで、この第２実施例の中間ストレーナー装置２２のその他の構成及び作用は、実質的に前記第１実施例と同一であるから、同一部分又は相当部分に同一符号を付するものとして、それらの説明を省略する。
【図面の簡単な説明】
【００２５】
【図１】本発明の第１実施例に係る中間ストレーナー装置を換気設備における排気ダクトに配設した状態を模式的に示す説明図である。
【図２】同実施例における中間ストレーナー装置の部分透過平面図である。
【図３】同正面図である。
【図４】上記中間ストレーナー装置におけるストレーナーの正面図である。
【図５】本発明の第２実施例に係る中間ストレーナー装置の平面図である。
【図６】同正面図である。
【符号の説明】
【００２６】
２，２２    中間ストレーナー装置
４    １次側接続部
４ａ，５ａ  接続継手
５    ２次側接続部
６，２６    ストレーナー収容部
６Ａ，２６Ａ  収容部本体
６Ｂ  支持部材
６ａ，２６ａ  開口部
８，２８    ストレーナー
８Ａ，２８Ａ  網目状部材
８Ｃ，２６Ｃ  把持部
１４，３４    パッキン
１６    負圧作動弁
２８ａ  凸部
Ｃ    室内壁
Ｄ    排気ダクト
Ｄ１  １次側ダクト
Ｄ２  ２次側ダクト
Ｗ    点検口
【図１】
2008170102.tif 000003
【図２】
2008170102.tif 000004
【図３】
2008170102.tif 000005
【図４】
2008170102.tif 000006
【図５】
2008170102.tif 000007
【図６】
2008170102.tif 000008